(57)【要約】  映像信号の入力を受け付け、この映像信号の一部を分離して第１の信号として出力するとともに、分離した残りの映像信号を第２の信号として出力する信号分岐分配部（１０）と、信号分岐分配部（１０）から出力される第１の信号を表示装置（２２）によって表示させ、信号分岐分配部（１０）から出力される第２の信号を音声出力装置（２４）によって出力する出力部（２０）と、表示装置（２２）によって表示される映像を検出する映像センサー（３０）と、音声出力装置（２４）から出力される音声を検出する音センサー（４０）と、映像センサー（３０）の検出結果と、音センサー（４０）の検出結果とに基づいて、映像センサー（３０）によって得られる信号と音センサー（４０）によって得られる信号との再生タイミングの差を検出する遅延検出部（６０）と、を有する。
2010137166.tif 000002
【特許請求の範囲】
【請求項１】
映像信号の入力を受け付け、この映像信号の一部を分離して第１の信号として出力するとともに、分離した残りの映像信号を第２の信号として出力する信号分岐分配部と、
前記信号分岐分配部から出力される第１の信号を表示装置によって表示させ、前記信号分岐分配部から出力される第２の信号を音声出力装置によって出力する出力部と、
前記表示装置によって表示される映像を検出する映像センサーと、
前記音声出力装置から出力される音声を検出する音センサーと、
前記映像センサーの検出結果と、前記音センサーの検出結果とに基づいて、前記映像センサーによって得られる信号と前記音センサーによって得られる信号との再生タイミングの差を検出する遅延検出部と、
を有することを特徴とする遅延検出装置。
【請求項２】
前記遅延検出部は、信号分岐分配手段に供給する映像信号を、第１の色から第２の色に変化させ、この色の変化に応じて生じる前記映像センサーによって得られる信号と前記音センサーによって得られる信号との再生タイミングの差を検出する
ことを特徴とする請求項１記載の遅延検出装置。
【請求項３】
映像信号の入力を受け付け、この映像信号の一部を分離して第１の信号として出力するとともに、分離した残りの映像信号を第２の信号として出力し、
前記出力される第１の信号を表示装置によって表示させ、前記信号分岐分配手段から出力される第２の信号を音声出力装置によって出力し、
前記表示される映像を検出し、
前記出力される音声を検出し、
前記映像の検出結果と、前記音声の検出結果とに基づいて、前記映像の検出結果と前記音声の検出結果との再生タイミングの差を検出する
ことを特徴とする遅延検出方法。
【発明の詳細な説明】
【技術分野】
【０００１】
本発明は、映像信号と音声信号との再生タイミングの差を検出する遅延検出装置、遅延検出方法に関する。
【背景技術】
【０００２】
画像表示装置内の映像や音声の処理が複雑化したことにより、映像出力と音声出力とに時間的ずれが生じるようになって来ている。一般的には、情報量の関係から、時間的に音声が映像よりも先に出力される。映像と音声との間に遅延が生じると、再生された映像と音声とに違和感が生じる。
例えば、このような映像と音声との遅延を補正するには、ピアノ演奏等のシーンが撮影された映像を用いて、その撮像された信号を入力して映像と音声のずれを感覚的に捉えて、人手によってフィードバックを行い、映像と音声との遅延について補正を行っていた。
一方、この補正を行なうためにリップシンク機能（Lip Synchronization）が使われている。このようなリップシンク機能については、例えば、以下に示す特許文献１に記載されている。ここでは、装置の機能別に映像と音声の遅延時間を何らからの方法で予め把握しておき、機能のON/OFFによって映像と音声それぞれの遅延時間を決定し、その差分時間だけ遅延処理を行なうものである。
【先行技術文献】
【特許文献】
【０００３】
【特許文献１】特開２００８−３０１０８７号公報
【発明の概要】
【発明が解決しようとする課題】
【０００４】
しかしながら、上述した特許文献１においては、遅延を補正することについて開示されているが、遅延時間を如何にして把握するかについては、具体的には開示されていない。そうすると、やはり、各デバイス（映像を表示するパネルと音声出力用のスピーカ）の出力における正確な遅延時間を把握する術がない。また、検査用の映像・音声信号の同期管理をすることが困難であるという問題が生じる。このように、上述の画像表示装置における映像と音声のずれ認識の手段は、人間の感覚に頼るところが大きく、その時々において、この調整を行う人によっては、ずれの認識結果に差が生じてしまうという問題があった。【０００５】
本発明は、上記の事情を考慮してなされたものであり、その目的は、映像と音声との信号の遅延時間を把握することができる遅延検出装置、遅延検出方法を提供することにある。
【課題を解決するための手段】
【０００６】
上記課題を解決するため、本発明は、映像信号の入力を受け付け、この映像信号の一部を分離して第１の信号として出力するとともに、分離した残りの映像信号を第２の信号として出力する信号分岐分配部と、前記信号分岐分配部から出力される第１の信号を表示装置によって表示させ、前記信号分岐分配部から出力される第２の信号を音声出力装置によって出力する出力部と、前記表示装置によって表示される映像を検出する映像センサーと、前記音声出力装置から出力される音声を検出する音センサーと、前記映像センサーの検出結果と、前記音センサーの検出結果とに基づいて、前記映像センサーによって得られる信号と前記音センサーによって得られる信号との再生タイミングの差を検出する遅延検出部と、を有する。
【発明の効果】
【０００７】
本発明によれば、映像信号の一部を分岐して映像信号と音声信号とを生成して音声出力機能を備えた画像表示装置に供給し、画像表示装置において映像処理、音声処理された後の出力を、センサーにて測定するようにしたので、映像・音声の遅延時間を把握することができる。
【図面の簡単な説明】
【０００８】
【図１】マルチ設置モニターシステムの構成を表す概略ブロック図である。
【発明を実施するための形態】
【０００９】
以下、本発明について図面を用いて説明する。図１は、遅延検出装置を用いたマルチ設置モニターシステムの構成を表す概略ブロック図である。
この図において、信号分岐・分配手段１０は、ＰＣ５０から出力される映像信号の入力を受け付け、この映像信号の一部を分離して第１の信号（例えば、映像信号）として出力するとともに、分離した残りの映像信号を第２の信号（例えば、音声信号）として出力する。
ここで、ＰＣ５０から出力される映像信号は、３種の色信号（赤、緑、青）と２種の同期信号（水平信号、垂直信号）が含まれており、それぞれの信号は同期している。ここでいう同期とは、再生する対象の映像と音声との再生タイミングが一致していることを表す。
信号分岐・分配部１０は、例えば、映像信号に含まれる赤色信号、緑色信号、青色信号のうち、青色信号を分離して音声信号として画像表示装置２０の音声処理部２３に供給し、その他信号（赤色信号、緑色信号、水平信号、垂直信号）を映像信号に分岐して画像表示装置２０の映像処理部２１に供給する。ここでは、色信号のいずれかを分離して音声信号として出力することにより、画像表示装置２０に供給される映像信号と音声信号との同期を確保している。
【００１０】
画像表示装置２０は、信号分岐・分配部１０から出力される第１の信号（映像信号）を映像として表示し、第２の信号（音声信号）を音声として出力する。
この画像表示装置２０は、映像処理部２１と、表示デバイス２２と、音声処理部２３と、音声デバイス２４とを含んで構成される。映像処理部２１は、信号分岐・分配部１０から出力される映像信号を信号処理し、表示デバイス２２によって表示する。表示デバイス２２は、例えば、液晶パネルであり、映像を画面上に表示する。
音声処理部２３は、信号分岐・分配部１０から出力される音声信号を信号処理し、音声デバイス２４によって、音声を出力する。音声デバイス２４は、例えばスピーカであり、音声信号を音声として出力する。
【００１１】
映像センサー３０は、画像表示装置２０の表示デバイス２２によって出力される映像の光を検出する。この映像センサー３０は、例えば、フォトダイオードである。
音センサー４０は、例えば、マイクロフォンであり、画像表示装置２０の音声デバイス２４から出力される音声を検出する。
測定器５０は、ＰＣ６０によって制御され、映像センサー３０と音センサー４０の測定結果を取得して、ＰＣ６０にリアルタイムに出力する機能を有している。この測定器５０は、例えば、オシロスコープであり、映像センサー３０、音センサー４０によって得られた検出結果をＡＤ変換を行って数値化する。
【００１２】
ＰＣ６０は、測定器２０の制御とデータ解析、映像信号を変化させるためのアプリケーション７０がインストールされている。アプリケーション７０は、映像センサー３０の検出結果と、音センサー４０の検出結果とに基づいて、映像センサー３０によって得られる信号と音センサー４０によって得られる信号との再生タイミングの差を検出する（遅延検出部に相当）。
ここでは、アプリケーション７０は、信号分岐分配手段に供給する映像信号を、第１の色（例えば、白）から第２の色（例えば、黒）に変化させ、この色の変化に応じて生じる映像センサー３０によって得られる信号と音センサー４０によって得られる信号との再生タイミングの差を検出する。
【００１３】
次に本発明の実施例の動作について図１を用いて説明する。
ＰＣ６０は、アプリケーション７０を実行し、テスト用の映像信号を生成し、信号分岐・分配部１０に出力する。ここでは、ＰＣ６０は、映像信号を白から黒、黒から白へと変化させて映像信号を出力する。信号分岐・分配手段１０は、映像信号のうち、青色信号を分離して、画像表示装置２０に音声信号として供給し、その他の信号を映像信号として画像表示装置２０に供給する。この時点においては、画像表示装置２０に入力される入力信号（映像信号と音声信号）の同期が確保されている。
【００１４】
次に、画像表示装置２０は、映像信号を表示デバイス２２によって映像を出力するとともに、音声信号として入力された青色信号を音声デバイス２４によって音声を出力する。
映像信号、音声信号が出力されると、映像センサー３０は、表示デバイス２２によって出力される映像の光を検出する。音センサー４０は、音声デバイス２４によって出力される音声を検出する。
【００１５】
測定器２０は、映像センサー３０、音センサー４０から得られる検出結果をそれぞれＡＤ変換して数値データを生成し、ＰＣ６０に出力する。
ＰＣ６０は、映像信号を白から黒、黒から白へと変化させることによって、測定器２０から得られる映像信号および音声信号の数値データがどのタイミングで変化するかを検出し、その変化のタイミングの差を求めることで、映像及び音声信号の遅延時間を算出することにより、遅延時間を検出する。
【００１６】
なお、上述した実施形態において、音声センサー４０に換えて、加速度センサーを用いるように構成してもよい。加速度センサーを音声デバイス周辺の画像表示装置２０の筐体に設置することで、環境音に影響されることなく音声出力の変化を測定することができる。
【００１７】
以上説明したように、上述の実施形態によれば、映像および音声出力の変化をセンサーを用いて数値化しているので、遅延時間を定量的に把握することができ、その精度も正確であることからフレーム単位での遅延時間補正や検査を行なうことも可能となる。
また、ＰＣ６０の映像信号を分岐して画像表示装置２０の入力信号としているので、入力信号の同期管理が不要となることである。
【００１８】
また、上述した実施形態によれば、ＰＣ６０が制御する映像信号を画像表示装置２０の映像と音声の入力信号とすることで入力信号の同期管理を省き、画像表示装置２０の各デバイス出力をセンサーにて測定することで映像と音声の変化を数値化し、その遅延時間（時間的ずれ）をＰＣ６０のアプリケーション７０によって演算することで正確な遅延時間を得て、遅延時間を表す情報を提供することが可能となる。
【符号の説明】
【００１９】
１０  信号分岐・分配部
２０  画像表示装置
２１  映像処理部
２２  表示デバイス
２３  音声処理部
２４  音声デバイス
３０  映像センサー
４０  音センサー
５０  測定器
６０  ＰＣ
７０  アプリケーション
【図１】
2010137166.tif 000003
【国際調査報告】
2010137166.tif 000004
2010137166.tif 000005